(57)【要約】      （修正有）【課題】どのような形態のほこり詰まり状態においても器具内温度が異常な過熱状態になる前に確実に検知することができる温風暖房装置を提供する。【解決手段】ガスを燃焼するバーナ１と、燃焼ガスと対流用フィルター４を通過して吸入された空気を混合する燃焼室２と、温風吹出口７より温風を送出する対流ファン３と、前記対流ファン３のほこり詰まりを検出する過熱温度検出器５と、前記対流ファン３の回転数を制御する制御装置６を備え、前記制御装置６は、過熱温度検出器５が所定の時間に所定の温度上昇値を検出したとき、前記対流ファン３の回転数を増加させる演算装置８を備え、器具内温度が異常な過熱状態になる前に確実にほこり詰まり状態を検知するようにしたものである。【選択図】図６
2005140440.tif 000002
【特許請求の範囲】
【請求項１】
ガスを燃焼するバーナと、燃焼ガスと対流用フィルターを通過して吸入された空気を混合する燃焼室と、温風吹出口より温風を送出する対流ファンと、前記対流ファンのほこり詰まりを検出する過熱温度検出器と、前記対流ファンの回転数を制御する制御装置を備え、前記制御装置は、過熱温度検出器が所定の時間に所定の温度上昇値を検出したとき、前記対流ファンの回転数を増加させる演算装置を備えた温風暖房装置。
【請求項２】
演算装置は、過熱温度検出器が検出する所定時間における温度上昇値が各燃焼量毎に定めた値以上を検出したとき、対流ファンの回転数を各燃焼量毎に定められた値を上限として増加させるようにした請求項１記載の温風暖房装置。
【請求項３】
演算装置は、過熱温度検出器が検出する所定時間における温度上昇値が予め区分された燃焼量範囲毎に定めた値以上を検出したとき、所定の回転数を上限として増加させるようにした請求項１記載の温風暖房装置。
【請求項４】
制御装置は、過熱温度検出器が所定の時間に所定の温度上昇値を検出し対流ファンの回転数を増加させるとき、所定の回転数以上になると、ほこり詰まり状態が異常と判定する異常判定部を備えた請求項１〜４のいずれか１項記載の温風暖房装置。
【請求項５】
制御装置は、過熱温度検出器が所定の時間に所定の温度上昇値を検出し対流ファンの回転数を増加させるとき、過熱温度検出器が所定の温度上昇値以上を検出すると、ほこり詰まり状態が異常と判定する異常判定部を備えた請求項１〜４のいずれか１項記載の温風暖房装置。
【発明の詳細な説明】
【技術分野】
【０００１】
本発明は、温風暖房機の吸気フィルターのほこり詰まり検知に関するものである。
【背景技術】
【０００２】
従来、この種の温風暖房機は、温風経路に設けた温度検出器が検出する温風温度そのものを検出してほこり詰まり状態を判定し、対流ファンの回転数を制御して器具内温度を低下するようにしていた（例えば、特許文献１参照）。
【０００３】
図６は特許文献１に記載された従来の温風暖房機を示すものである。図６において、バーナ１で燃焼を完了した燃焼ガスは燃焼室２でエアーフィルター４を介して吸入された室内空気と混合され、温風として送風ファン３により温風吹出口７より送出される。
【０００４】
このとき、エアーフィルター４にほこりが付着し、吸入空気量が減少すると温風温度が上昇する。この温風温度の上昇は燃焼室２上部に設けた温度検出器５が検出し、所定温度以上になると制御装置６に信号を送って送風ファン３の回転数を増加させるように制御する。この一連の動作によりエアーフィルター４のほこり詰まり検知を行っていた。
【特許文献１】特開２００２−３１８０１１号公報
【発明の開示】
【発明が解決しようとする課題】
【０００５】
しかしながら上記従来の構成では、エアーフィルターのほこり詰まりを温風温度の値そのものが予め設定した所定の温度になったとき、異常と見なして送風ファンの回転数を上昇させ器具内の温度が異常に上昇しないようにしているため、通常の使い方において徐々にほこりが付着する場合は、温風温度が緩やかに温度上昇することで温度検出器の検出温度との遅れがほとんどなく、ほこりの付着具合に応じて的確に温度検出器で検出可能であるが、急激なほこり詰まり状態、例えば、洗濯物等で対流用フィルターが覆われた場合等においては、実際の温度上昇と温度検出器による検出温度の間で遅れが生じ、温度検出器がほこり詰まり温度を検出したときは、実際の燃焼室の温度は異常な高温状態になっており、器具内温度も高温となって構成部品へ熱的影響を及ぼす状態となる恐れがあった。
【０００６】
本発明は上記従来の課題を解決するのもので、どのような形態のほこり詰まり状態においても器具内温度が異常な過熱状態になる前に確実に検知することができる温風暖房装置を提供するものである。
【課題を解決するための手段】
【０００７】
上記従来の課題を解決するために本発明の温風暖房装置は、ガスを燃焼するバーナと、燃焼ガスと対流用フィルターを通過して吸入された空気を混合する燃焼室と、温風吹出口より温風を送出する対流ファンと、前記対流ファンのほこり詰まりを検出する過熱温度検出器と、前記対流ファンの回転数を制御する制御装置を備え、前記制御装置は、過熱温度検出器が所定の時間に所定の温度上昇値を検出したとき、前記対流ファンの回転数を増加させる演算装置を備えたものである。
【０００８】
これによって、温風温度が異常な温度まで上昇する前に対流ファンのほこり詰まり状態を検知することができ、対流ファンの回転数を増加させることで燃焼室を含む器具内温度を適正な状態に確保して運転を継続することが可能となる。特に、急激なほこり詰まり状態、例えば、洗濯物等で対流用フィルターが覆われた場合等において、その効果は大きく、急激な温度上昇に対してその変化具合で異常を検知するため、実際の温度上昇と過熱温度検出器による検出温度の遅れがあったとしても、異常過熱状態になる前に検知することができるものである。
【発明の効果】
【０００９】
本発明の温風暖房装置は、対流用フィルターのほこり詰まり検知を所定時間における過熱温度検出器の温度上昇値で検出するため、温風温度が異常な高温状態になる前に検知することが可能となり、対流ファンの回転数補正動作と組み合わせることで、器具内温度を過度に上昇させることなく、ほこり詰まり状態における運転時間の延長が可能となって、使い勝手の向上及び器具の耐久性向上を図ることができる。
【発明を実施するための最良の形態】
【００１０】
第１の発明は、ガスを燃焼するバーナと、燃焼ガスと対流用フィルターを通過して吸入された空気を混合する燃焼室と、温風吹出口より温風を送出する対流ファンと、前記対流ファンのほこり詰まりを検出する過熱温度検出器と、前記対流ファンの回転数を制御する制御装置を備え、前記制御装置は、過熱温度検出器が所定の時間に所定の温度上昇値を検出したとき、前記対流ファンの回転数を増加させる演算装置を備えたことを特徴とするもので、対流用フィルターのほこり詰まり検知を所定時間における過熱温度検出器の温度上昇値で検出することで、温風温度が異常な高温状態になる前に検知し、対流ファンの回転数補正動作と組み合わせることで、器具内温度を過度に上昇させることなく、ほこり詰まり状態における運転時間の延長を可能とするものであって、特に、急激なほこり詰まり状態、例えば、洗濯物等で対流用フィルターが覆われた場合等において、その効果は大きく、急激な温度上昇に対してその変化具合で異常を検知することで、実際の温度上昇と過熱温度検出器による検出温度の遅れがあったとしても、異常過熱状態になる前に検知することができ、使い勝手の向上及び器具の耐久性向上を図ることができる。
【００１１】
第２の発明は、演算装置は、過熱温度検出器が検出する所定時間における温度上昇値が各燃焼量毎に定めた値以上を検出したとき、対流ファンの回転数を各燃焼量毎に定められた値を上限として増加させるようにしたことを特徴とするもので、特に、ほこり詰まりの検出条件として、燃焼量毎に過熱温度検出器が検出する所定時間当たりの温度上昇値の判定値を変えて、より迅速にほこり詰まり状態を検出しようとするもので、さらに的確に異常過熱状態になる前に検知することができ、使い勝手の向上及び器具の耐久性向上を図ることができる。
【００１２】
第３の発明は、演算装置は、過熱温度検出器が検出する所定時間における温度上昇値が予め区分された燃焼量範囲毎に定めた値以上を検出したとき、所定の回転数を上限として増加させるようにしたことを特徴とするもので、燃焼量可変域を複数域に区分し、区分された燃焼量域毎に過熱温度検出器が検出する所定時間当たりの温度上昇値の判定値を変えて、実際の温度上昇と過熱温度検出器による検出温度の遅れが許容できる範囲内で、制御構成の簡素化を図りつつ、適正なほこり詰まり状態を検出しようとするものである。
【００１３】
第４の発明は、制御装置は、過熱温度検出器が所定の時間に所定の温度上昇値を検出し対流ファンの回転数を増加させるとき、所定の回転数以上になると、ほこり詰まり状態が異常と判定する異常判定部を備えたことを特徴とするもので、ほこり詰まり状態における対流ファンの回転数補正動作に制限を加えることで、過度な運転時間の延長を防止し、安全性を確保しつつ、使い勝手の良さを追求するものである。
【００１４】
第５の発明は、制御装置は、過熱温度検出器が所定の時間に所定の温度上昇値を検出し対流ファンの回転数を増加させるとき、過熱温度検出器が所定の温度上昇値以上を検出すると、ほこり詰まり状態が異常と判定する異常判定部を備えたことを特徴とするもので、上記第４の発明とは別の方法で、ほこり詰まり状態における対流ファンの回転数補正動作に制限を加え、過度な運転時間の延長を防止し、安全性を確保しつつ、使い勝手の良さを追求するものである。
【００１５】
以下、本発明の実施の形態について、図面を参照しながら説明する。なお、本発明の実施の形態によって本発明が限定されるものではない。
【００１６】
（実施の形態１）
本発明の第１の実施の形態における本体構成は従来例と同一であるため、図６を用いて説明する。
【００１７】
図１は、本発明の第１の実施の形態における動作フローチャートであり、特に、対流用フィルター４にほこり詰まりが発生した状態における動作フローを示すものである。
【００１８】
図１において、暖房運転状態Ｓ１で対流用フィルター４に急激なほこり詰まりが発生すると（Ｓ２）、対流用フィルター４を通って吸入する室内空気の量が減少するため、燃焼室２でバーナ１からの燃焼ガスと混合するとき、温風温度は所定の値より高くなる。なお、上記急激なほこり詰まり状態が室内で乾燥させている洗濯物などが落下して対流用フィルター４を覆うような状態になると、温風温度はさらに上昇することになる。
【００１９】
そして、温風温度が上昇すると、燃焼室２の上部に取り付けた過熱温度検出器５がこれを検出し（Ｓ３）、制御装置６に信号を送って演算装置８が予め定めた所定時間における過熱温度検出器５が検出する温度上昇値を測定し、この値が予め定めた基準値（ｘｋ／ｔ）以上か否かを判定し（Ｓ４）、温度上昇値が基準値以下の場合は上記測定と判定を繰り返す。そして、温度上昇値が基準値以上になると、制御装置６は対流ファン３の回転数を増加させるように補正する。このとき、回転数の補正条件は予め定めた固定値でもよく、温度上昇値に応じて求めた値でもよく、さらには回転数の補正動作回数に応じて定めた値でもよい。
【００２０】
上記補正動作が完了すると、過熱温度検出器５の検出温度を確認し、さらに温度上昇が発生する場合は再度、測定と判定を繰り返し、回転数の補正動作を行う。
【００２１】
この測定と判定により行う回転数の補正動作により、対流用フィルター４に急激なほこり詰まり状態が発生しても温風温度が異常に上昇する前に検出することができ、かつ温風温度を低下させることができ、安全性を確保しつつ、運転時間を延長することができるものである。
【００２２】
（実施の形態２）
図２は、本発明の第２の実施の形態における動作フローチャートである。この第２の実施の形態は、上記第１の実施の形態における判定時の基準値を燃焼量毎に設定したものであり、例えば、燃焼量を強から弱まで７段階に可変させるものにあっては、７つの基準値を設定し、過熱温度検出器５が所定時間における温度上昇値を検出したときの燃焼量に対応させて７つの基準値から選択し判定するものである。
【００２３】
まず、暖房運転状態Ｓ６で対流用フィルター４に急激なほこり詰まりが発生すると（Ｓ７）、過熱温度検出器５がこれを検出し（Ｓ８）、制御装置６に信号を送って演算装置８が予め定めた所定時間における過熱温度検出器５が検出する温度上昇値を測定し、この値がその時の燃焼量に応じて予め定めた基準値（ｘｋ／ｔ）以上か否かを判定し、温度上昇値が基準値以下の場合は上記測定と判定を繰り返す。そして、温度上昇値が基準値以上になると、制御装置６は対流ファン３の回転数を増加させるように補正する。（Ｓ９）このとき、回転数の補正条件は燃焼量毎に予め定めた固定値でもよく、燃焼量毎に温度上昇値に応じて求めた値でもよく、さらには燃焼量毎に回転数の補正動作回数に応じて定めた値でもよい。
【００２４】
このように、燃焼量毎に過熱温度検出器５が検出する所定時間当たりの温度上昇値と比較する基準値を変えることにより、より迅速に、かつ的確に異常過熱状態になる前にほこり詰まり状態を検出することができ、使い勝手の向上及び器具の耐久性向上を図ることができるものである。
【００２５】
（実施の形態３）
図３は、本発明の第３の実施の形態における動作フローチャートである。この第３の実施の形態は、上記第１の実施の形態における判定時の基準値を複数域に区分した燃焼量範囲毎に設定したものであり、例えば、燃焼量を強から弱まで７段階に可変させるものにあっては、弱（１）〜中（４）までの領域と、中（４）〜強（７）までの領域でそれぞれ基準値を設定し判定するようにしてある。
【００２６】
図３において、暖房運転状態Ｓ１０で対流用フィルター４に急激なほこり詰まりが発生すると（Ｓ１１）、過熱温度検出器５がこれを検出し（Ｓ１２）、制御装置６に信号を送る。同時に、制御装置６は現在の燃焼量がどのレベルにあるかを判定し、予め定めた燃焼量域毎の基準値を設定する。そして、制御装置６内の演算装置８は、予め定めた所定時間における過熱温度検出器５が検出する温度上昇値を測定し、この値が上記で設定した基準値（ｘｋ／ｔ）以上か否かを判定し、温度上昇値が基準値以下の場合は上記測定と判定を繰り返す。そして、温度上昇値が基準値以上になると、制御装置６は対流ファン３の回転数を各基準値毎に定めた値分だけ増加させるように補正する。（Ｓ１４、Ｓ１５）このとき、回転数の補正条件は基準値毎に予め定めた固定値でもよく、基準値毎に温度上昇値に応じて求めた値でもよく、さらには基準値毎に回転数の補正動作回数に応じて定めた値でもよい。
【００２７】
このように、予め区分した燃焼量域毎に、過熱温度検出器５が検出する所定時間当たりの温度上昇値と比較する基準値を変えることにより、実際の温度上昇と過熱温度検出器による検出温度の遅れが許容できる範囲内で、制御構成の簡素化を図りつつ、適正なほこり詰まり状態を検出できるものである。
【００２８】
（実施の形態４）
図４は、本発明の第４実施の形態における動作フローチャートであり、この第４の実施の形態は、ほこり詰まり検知時に行う対流ファン３の回転数補正動作を制限する制御フローを示すものである。
【００２９】
図４において、暖房運転状態Ｓ１６で対流用フィルター４に急激なほこり詰まりが発生すると（Ｓ１７）、過熱温度検出器５がこれを検出し（Ｓ１８）、制御装置６に信号を送って演算装置８が予め定めた所定時間における過熱温度検出器５が検出する温度上昇値を測定し、この値がその時の燃焼量に応じて予め定めた基準値（ｘｋ／ｔ）以上か否かを判定し（Ｓ１９）、温度上昇値が基準値以下の場合は上記測定と判定を繰り返す。そして、温度上昇値が基準値以上になると、制御装置６は対流ファン３の回転数を増加させるように補正する（Ｓ２０）。次ぎに、上記補正動作により対流ファン３の回転数が予め設定した回転数以上に上昇したか否かを判定し（Ｓ２１）、上限回転数以下の場合は上記測定と判定を繰り返し、補正動作を継続する。そして、補正後の回転数が上限回転数を越えると、ほこり詰まり状態が限界であると判断し運転を停止する。なお、本実施の形態では補正動作の制限を回転数で判断するようにしたが、補正動作の回数により制限を加えるようにしても同様の効果を奏するものである。
【００３０】
このように、ほこり詰まり検知時に行う対流ファン３の回転数補正動作を制限することで、軽微なほこり詰まり状態における運転時間の延長を確保し使い勝手の向上が図れるとともに、ほこり詰まり状態が限界になったときの安全性を確保することができるものである。
【００３１】
（実施の形態５）
図５は、本発明の第５実施の形態における動作フローチャートであり、この第５の実施の形態は、上記第４の実施の形態とは別の方法で、ほこり詰まり検知時に行う対流ファン３の回転数補正動作を制限する制御フローを示すものである。
【００３２】
図５において、暖房運転状態Ｓ２３で対流用フィルター４に急激なほこり詰まりが発生すると（Ｓ２４）、過熱温度検出器５がこれを検出し（Ｓ２５）、制御装置６に信号を送って演算装置８が予め定めた所定時間における過熱温度検出器５が検出する温度上昇値を測定し、この値がその時の燃焼量に応じて予め定めた基準値（ｘｋ／ｔ）以上か否かを判定し（Ｓ２６）、温度上昇値が基準値以下の場合は上記測定と判定を繰り返す。そして、温度上昇値が基準値以上になると、制御装置６は対流ファン３の回転数を増加させるように補正する（Ｓ２７）。次ぎに、上記補正動作後、過熱温度検出器５が予め定めた所定の温度上昇値以上を検出するか否かを判定し、検出しない場合は上記測定と判定を繰り返し、補正動作を継続する。そして、検出した場合はほこり詰まり状態が限界であると判断し運転を停止する。なお、本実施の形態では補正動作の制限を過熱温度検出器５の温度上昇値としたが、検出温度そのものを用いてもよく、また、補正回数や燃焼量に応じて基準値を変更するようにしてもよいものである。
【００３３】
このように、ほこり詰まり検知時に行う対流ファン３の回転数補正動作を過熱温度検出器５の温度上昇値を用いて制限することで、軽微なほこり詰まり状態における運転時間の延長を確保し使い勝手の向上が図れるとともに、ほこり詰まり状態が限界になったときの安全性を確保することができるものである。
【産業上の利用可能性】
【００３４】
以上のように、本発明に係る温風暖房装置は、対流用フィルターのほこり詰まり検知を所定時間における過熱温度検出器の温度上昇値で検出するため、温風温度が異常な高温状態になる前に検知することが可能となり、対流ファンの回転数補正動作と組み合わせることで、器具内温度を過度に上昇させることなく、ほこり詰まり状態における運転時間の延長が可能となるので、ファンで温風を吹き出すタイプの暖房機全てに適用できる。
【図面の簡単な説明】
【００３５】
【図１】本発明の実施の形態１における動作フローチャート
【図２】本発明の実施の形態２における動作フローチャート
【図３】本発明の実施の形態３における動作フローチャート
【図４】本発明の実施の形態４における動作フローチャート
【図５】本発明の実施の形態５における動作フローチャート
【図６】従来の温風暖房装置の構成図
【符号の説明】
【００３６】
１  バーナ
２  燃焼室
３  対流ファン
４  対流用フィルター
５  過熱温度検出器
６  制御装置
７  温風吹出口
８  演算装置
【図１】
2005140440.tif 000003
【図２】
2005140440.tif 000004
【図３】
2005140440.tif 000005
【図４】
2005140440.tif 000006
【図５】
2005140440.tif 000007
【図６】
2005140440.tif 000008